(57)【要約】【課題】  平面的な家系図を直系および傍系を含めて三次元立体的に構築することを可能にする方法を提供する。【解決手段】  図２に示す本体パーツ１複数個を補助部材である横方向補助部材２および縦方向補助部材３複数個によってブロック化することができるものである。さらに本体パーツ１が「人」を表わし、これを各補助部材によって上下左右に結合して展開することによって、親子関係、兄弟関係など縁戚関係を表現することができる。【選択図】図２
2015225293.tif 000002
【特許請求の範囲】
【請求項１】
樹脂・木・金属等で作られた四角柱あるいは円柱等任意の形状の本体パーツ複数個を、補助部材である横方向補助部材および縦方向補助部材複数個によってブロック化することができるものである。さらに本体パーツが「人」を表わし、これを各補助部材によって上下左右に結合し展開することによって、親子関係、兄弟関係などの縁戚関係を立体家系構造体として構築する方法。
【請求項２】
請求項１において
横方向補助部材に生年月日、没年月日など情報を表示することができることを特徴とする方法。
【請求項３】
請求項１又は請求項２において
縦方向補助部材を用いて、下部から明かりを照らす機能を持たせ、連動した電子的スイッチにより本体パーツを点灯・消灯ができることを特徴とする方法。
【請求項４】
請求項１又は請求項２において
縦方向補助部材をワイヤー等にすることで吊下げ表示ができることを特徴とする方法。
【請求項５】
当該本体パーツ同士を連結するための補助部材を接続する第１の接続手段と、前記補助部材を接続する第２の接続手段とを備え、前記第１の接続手段及び前記第２の接続手段は、前記補助部材を接続する方向及び高さ方向の位置が異なっていることを特徴とする立体家系構造体用の本体パーツ。
【発明の詳細な説明】
【技術分野】
【０００１】
本発明は、樹脂・木・金属等の素材を使用し複数系統の家系図を三次元立体的に構築するための方法に関する。
【背景技術】
【０００２】
古来より家族関係を家系図として残し家族の在り方を確認している。また、直系のみならず傍系を含めた複数系統家系図を表現しているものがある。（例えば特許文献１参照。）また、コンピュータ上で家系図を三次元立体的に表現するものがある。（例えば特許文献２参照。）
【先行技術文献】
【特許文献】
【０００３】
【特許文献１】特開２０１３−２４４７４４公報
【特許文献２】特開平１１−１１０４４６公報
【発明の概要】
【発明が解決しようとする課題】
【０００４】
しかしながら、従来の家系図はおもに父方など一方の直系家系を辿ることが多く、傍系家系も同時に記述すると平面上における表現が複雑となる。
【課題を解決するための手段】
【０００５】
本発明は、人物名で識別したブロックを用い、兄弟姉妹は同列に配置し、その両親は高さに変化を加え両端に配置することで一家族を表現し、更に両親の兄弟姉妹についても子の列と直交する形で組み合わせることで、階層的な家系を立体的に構築することができる。このように各世代間の組合せを前の世代の列と直交する形で世代を遡って組み上げることで、家系を三次元立体的に構築することができる。構築する素材は要求に合わせて、木材や樹脂、金属など多様な素材を用いることができる。
【発明の効果】
【０００６】
本発明に係る立体的家系構造体の作成方法は、特許文献２のようにコンピュータを必要とするものではなく、基本パーツの組合せにより立体を構築し「親族の関係」を容易に理解できるようにするものであり、家系図等に求められる本来の目的を満たすものである。
【図面の簡単な説明】
【０００７】
【図１】本発明に係る立体的家系構造体を構成する基本パーツ例
【図２】基本パーツを用いた一家族（３兄弟と両親）の構築例
【図３】基本パーツを用い、祖父・祖母まで含めた構築例
【図４】基本パーツを用い、曾祖父・曾祖母まで含めた構築例
【図５】本体パーツを台座等からの照明で発光する例
【図６】本体パーツに発光体を内蔵して発光する例
【図７】本発明に係る立体的家系構造体で傍系を含めた例
【図８】本発明に係る立体的家系構造体で傍系を含めた例
【発明を実施するための形態】
【０００８】
本発明は、図１に示されるように「人」を表わす本体パーツ１と横方向補助部材２および縦方向補助部材３をそれぞれ複数個用いて構成される。本体パーツ１には名前ラベルまたは名前を彫刻・印刷することにより個人を識別し、図２で示されるように横方向補助部材２の本体パーツ１ａに「兄弟姉妹」の関係を配置し、横方向補助部材２の両端に取り付ける本体パーツ１ｂは「両親」として高さを変え配置する。さらに「両親」についても同様に構成していくことで先祖代々、直系傍系の家系を三次元立体的に構築することができる。各本体パーツが相互に干渉するおそれがある場合には、横方向補助部材２の長さに変化を与えることで回避することができる。図７および図８は立体家系構造体の完成図の一例である。
【０００９】
本発明に係る請求項１記載の立体家系構造体の作成方法は、
樹脂・木・金属等で作られた四角柱あるいは円柱等任意の形状の本体パーツ複数個を、補助部材である横方向補助部材および縦方向補助部材複数個によってブロック化することができる方法であって、さらに本体パーツが「人」を表わし、これを各補助部材によって上下左右に結合し展開することによって、親子関係、兄弟関係などの縁戚関係を立体家系構造体として構築する方法である。
【００１０】
また、本発明に係る請求項２記載の立体家系構造体の作成方法は、請求項１記載の立体家系構造体の作成方法において、横方向補助部材２に生年月日、没年月日など情報を表示することができることを特徴とする方法である。
【００１１】
また、本発明に係る請求項３記載の立体家系構造体の作成方法は、縦方向補助部材を用いて、下部から明かりを照らす機能を持たせ、連動した電子的スイッチにより本体パーツを点灯・消灯ができることを特徴とする方法である。
【００１２】
また、本発明に係る請求項４記載の立体家系構造体の作成方法は、縦方向補助部材をワイヤー等にすることで吊下げ表示ができることを特徴とする方法である。
【００１３】
また、本発明に係る請求項５記載の立体家系構造体の作成方法は、当該本体パーツ同士を連結するための補助部材を接続する第１の接続手段と、前記補助部材を接続する第２の接続手段とを備え、前記第１の接続手段及び前記第２の接続手段は、前記補助部材を接続する方向及び高さ方向の位置が異なっていることを特徴とする立体家系構造体用の本体パーツを用いることを特徴とする方法である。
【実施例】
【００１４】
以下図面に基づき本発明の実施例を説明すると、図１で示す四角柱である各本体パーツには名前ラベルを貼付するか名前を彫刻・印刷することで「人」を表わし、上部連結端部９の凹部に横方向補助部材２を嵌合する。図２では本体パーツ１が三兄弟の例を示しており、各兄弟は本体パーツ１ａとして横方向補助部材２に対して本体パーツ１と同様に嵌合する。本体パーツ１および本体パーツ１ａの両親については本体パーツ１ｂの側面嵌合口１０に横方向補助部材２を嵌めこむ。
【００１５】
図３は本体パーツ１に対する祖父・祖母を本体パーツ１ｃとして構築したものであり、本体パーツ１ｂの兄弟は本体パーツ１の兄弟の並びと直交する形で配置する。
【００１６】
図４は本体パーツ１に対する曽祖父・曽祖母を本体パーツ１ｄとして構築したものであり、本体パーツ１ｄ同士を繋ぐ横方向補助部材２は本体パーツ１ｃ同士を繋ぐ横方向部材２とは直交する形で配置する。
【００１７】
家系がそれ以上辿れない場合などは、各本体パーツの上部連結端部に図４に示すように蓋８を取り付けることができる。
【００１８】
上記実施の形態において、横方向補助部材２又は縦方向補助部材３は、請求項５記載の補助部材に対応し、本体上部連結端部９又は本体側面嵌合口１０は、請求項５記載の第１の接続手段又は第２の接続手段に対応する。
【００１９】
図４に示すように立体家系構造体は世代毎に高さを変化させるため、構造体を維持するための縦方向補助部材３を必要に応じて取り付けることができる。
【００２０】
図５に示すように縦方向補助部材３を光透過性樹脂やガラス等の素材とすることにより電子的スイッチと連動した照明１１により本体パーツを間接的に発光させることを可能とする。
【００２１】
図６に示すように縦方向補助部材３を中空の素材で構成することにより小型ＬＥＤ等の本体用発光体１２の配線を可能とし、電子的スイッチと連動することにより本体パーツを発光させることを可能とする。
【符号の説明】
【００２２】
１    本体パーツ
１ａ  本体パーツ(１の兄弟姉妹)
１ｂ  本体パーツ(１の両親)
１ｃ  本体パーツ(１の祖父・祖母)
１ｄ  本体パーツ(１の曽祖父・曾祖母)
２    横方向補助部材
３    縦方向補助部材
８    蓋
９    本体上部連結端部
１０  本体側面嵌合口
１１  照明
１２  本体用発光体
【図１】
2015225293.tif 000003
【図２】
2015225293.tif 000004
【図３】
2015225293.tif 000005
【図４】
2015225293.tif 000006
【図５】
2015225293.tif 000007
【図６】
2015225293.tif 000008
【図７】
2015225293.tif 000009
【図８】
2015225293.tif 000010